(57)【特許請求の範囲】
【請求項１】
第１基板の表面に形成される第１導電膜を有する第１電極基板と、
第２基板の表面に形成され、前記第１導電膜と対向する第２導電膜を有する第２電極基板と、
前記第１導電膜の上に互いに平行に形成され、前記第１導電膜に電位を印加する一対の第１電極と、
前記第１導電膜の上に互いに平行に形成されるとともに、前記第１電極とともに矩形環状をなすように配置され、前記第１導電膜に電位を印加する一対の第２電極と、
前記第１電極に並列に接続され、前記第１電極の長手方向における中央部よりも端部側の方が抵抗値が高くされる第１抵抗部と、
前記第２電極に並列に接続され、前記第２電極の長手方向における中央部よりも端部側の方が抵抗値が高くされる第２抵抗部と
を含み、
前記第１抵抗部は、前記第１導電膜上に前記第１電極に沿って形成されることにより、前記第１電極に並列に接続され、
前記第２抵抗部は、前記第１導電膜上に前記第２電極に沿って形成されることにより、前記第２電極に並列に接続され、
前記第１抵抗部及び第２抵抗部は、それぞれ、平面視において、矩形環状に配置される前記第１電極及び前記第２電極よりも外側に配置される、タッチパネル。
【請求項２】
第１基板の表面に形成される第１導電膜を有する第１電極基板と、
第２基板の表面に形成され、前記第１導電膜と対向する第２導電膜を有する第２電極基板と、
前記第１導電膜の上に互いに平行に形成され、前記第１導電膜に電位を印加する一対の第１電極と、
前記第１導電膜の上に互いに平行に形成されるとともに、前記第１電極とともに矩形環状をなすように配置され、前記第１導電膜に電位を印加する一対の第２電極と、
前記第１電極に並列に接続され、前記第１電極の長手方向における中央部よりも端部側の方が抵抗値が高くされる第１抵抗部と、
前記第２電極に並列に接続され、前記第２電極の長手方向における中央部よりも端部側の方が抵抗値が高くされる第２抵抗部と
を含み、
前記第１抵抗部は、前記第１電極上に形成されることにより、前記第１電極に並列に接続され、
前記第２抵抗部は、前記第２電極上に形成されることにより、前記第２電極に並列に接続される、タッチパネル。
【請求項３】
第１基板の表面に形成される第１導電膜を有する第１電極基板と、
第２基板の表面に形成され、前記第１導電膜と対向する第２導電膜を有する第２電極基板と、
前記第１導電膜の上に互いに平行に形成され、前記第１導電膜に電位を印加する一対の第１電極と、
前記第１導電膜の上に互いに平行に形成されるとともに、前記第１電極とともに矩形環状をなすように配置され、前記第１導電膜に電位を印加する一対の第２電極と、
前記第１電極に並列に接続され、前記第１電極の長手方向における中央部よりも端部側の方が抵抗値が高くされる第１抵抗部と、
前記第２電極に並列に接続され、前記第２電極の長手方向における中央部よりも端部側の方が抵抗値が高くされる第２抵抗部と
を含み、
前記第１抵抗部は、前記第１電極の長手方向における中央部よりも端部側の方が幅細く形成され、
前記第２抵抗部は、前記第２電極の長手方向における中央部よりも端部側の方が幅細く形成される、タッチパネル。
【請求項４】
第１基板上に形成される第１導電膜を有する第１電極基板と、
第２基板上に形成され、前記第１導電膜と対向する第２導電膜を有する第２電極基板と、
前記第１導電膜の上に互いに平行に形成され、前記第１導電膜に電位を印加する一対の第１電極と、
前記第１導電膜の上に互いに平行に形成されるとともに、前記第１電極とともに矩形環状をなすように配置され、前記第１導電膜に電位を印加する一対の第２電極と、
前記第１電極上に形成され、前記第１電極の長手方向における中央部よりも端部側の方が抵抗値が高くされる第１抵抗部と、
前記第２電極上に形成され、前記第２電極の長手方向における中央部よりも端部側の方が抵抗値が高くされる第２抵抗部と
を含む、
前記第１抵抗部は、前記第１電極の長手方向における中央部よりも端部側の方が幅細く形成され、
前記第２抵抗部は、前記第２電極の長手方向における中央部よりも端部側の方が幅細く形成される、タッチパネル。
【請求項５】
前記第１抵抗部は、平面視において、前記第１電極に沿う辺が曲線状に形成されることにより、前記第１電極の長手方向における中央部よりも端部側の方が幅細く形成され、
前記第２抵抗部は、平面視において、前記第２電極に沿う辺が曲線状に形成されることにより、前記第２電極の長手方向における中央部よりも端部側の方が幅細く形成される、請求項３又は４記載のタッチパネル。
【請求項６】
第１基板の表面に形成される第１導電膜を有する第１電極基板と、
第２基板の表面に形成され、前記第１導電膜と対向する第２導電膜を有する第２電極基板と、
前記第１導電膜の上に互いに平行に形成され、前記第１導電膜に電位を印加する一対の第１電極と、
前記第１導電膜の上に互いに平行に形成されるとともに、前記第１電極とともに矩形環状をなすように配置され、前記第１導電膜に電位を印加する一対の第２電極と、
前記第１電極に並列に接続され、前記第１電極の長手方向における中央部よりも端部側の方が抵抗値が高くされる第１抵抗部と、
前記第２電極に並列に接続され、前記第２電極の長手方向における中央部よりも端部側の方が抵抗値が高くされる第２抵抗部と
を含み、
前記第１抵抗部及び前記第２抵抗部は、前記第１電極及び前記第２電極と同一の導電層によって形成される、タッチパネル。
【請求項７】
第１基板上に形成される第１導電膜を有する第１電極基板と、
第２基板上に形成され、前記第１導電膜と対向する第２導電膜を有する第２電極基板と、
前記第１導電膜の上に互いに平行に形成され、前記第１導電膜に電位を印加する一対の第１電極と、
前記第１導電膜の上に互いに平行に形成されるとともに、前記第１電極とともに矩形環状をなすように配置され、前記第１導電膜に電位を印加する一対の第２電極と、
前記第１電極上に形成され、前記第１電極の長手方向における中央部よりも端部側の方が抵抗値が高くされる第１抵抗部と、
前記第２電極上に形成され、前記第２電極の長手方向における中央部よりも端部側の方が抵抗値が高くされる第２抵抗部と
を含み、
前記第１抵抗部及び前記第２抵抗部は、前記第１電極及び前記第２電極と同一の導電層によって形成される、タッチパネル。
【請求項８】
前記第１抵抗部及び前記第２抵抗部は、絶縁層によって絶縁されている、請求項６又は７記載のタッチパネル。
【請求項９】
第１基板の表面に形成される第１導電膜を有する第１電極基板と、
第２基板の表面に形成され、前記第１導電膜と対向する第２導電膜を有する第２電極基板と、
前記第１導電膜の上に互いに平行に形成され、前記第１導電膜に電位を印加する一対の第１電極と、
前記第１導電膜の上に互いに平行に形成されるとともに、前記第１電極とともに矩形環状をなすように配置され、前記第１導電膜に電位を印加する一対の第２電極と、
前記第１電極に並列に接続され、前記第１電極の長手方向における中央部よりも端部側の方が抵抗値が高くされる第１抵抗部と、
前記第２電極に並列に接続され、前記第２電極の長手方向における中央部よりも端部側の方が抵抗値が高くされる第２抵抗部と
を含み、
前記第１抵抗部及び前記第２抵抗部の抵抗値は、前記第１電極及び前記第２電極の抵抗値よりも低い、タッチパネル。
【請求項１０】
第１基板上に形成される第１導電膜を有する第１電極基板と、
第２基板上に形成され、前記第１導電膜と対向する第２導電膜を有する第２電極基板と、
前記第１導電膜の上に互いに平行に形成され、前記第１導電膜に電位を印加する一対の第１電極と、
前記第１導電膜の上に互いに平行に形成されるとともに、前記第１電極とともに矩形環状をなすように配置され、前記第１導電膜に電位を印加する一対の第２電極と、
前記第１電極上に形成され、前記第１電極の長手方向における中央部よりも端部側の方が抵抗値が高くされる第１抵抗部と、
前記第２電極上に形成され、前記第２電極の長手方向における中央部よりも端部側の方が抵抗値が高くされる第２抵抗部と
を含み、
前記第１抵抗部及び前記第２抵抗部の抵抗値は、前記第１電極及び前記第２電極の抵抗値よりも低い、タッチパネル。
【請求項１１】
前記第１抵抗部は、前記第１電極に沿って形成される複数の第１抵抗片を有し、前記複数の第１抵抗片同士の間の距離は、前記第１電極の長手方向における中央部よりも端部側の方が長くされ、
前記第２抵抗部は、前記第２電極に沿って形成される複数の第２抵抗片を有し、前記複数の第２抵抗片同士の間の距離は、前記第２電極の長手方向における中央部よりも端部側の方が長くされる、請求項１乃至１０のいずれか一項記載のタッチパネル。
【請求項１２】
前記第１抵抗部は、前記第１電極に沿って形成される複数の第１抵抗片を有し、前記第１抵抗片の長さは、前記第１電極の長手方向における中央部よりも端部側の方が長くされ、
前記第２抵抗部は、前記第２電極に沿って形成される複数の第２抵抗片を有し、前記第２抵抗片の長さは、前記第２電極の長手方向における中央部よりも端部側の方が長くされる、請求項１乃至１１のいずれか一項記載のタッチパネル。
【請求項１３】
前記第１導電膜に接続され、前記第１導電膜が前記第２導電膜と接触すると、当該接触のあった座標位置を検出する座標検出回路をさらに含む、請求項１乃至１２のいずれか一項記載のタッチパネル。
【発明の詳細な説明】
【技術分野】
【０００１】
本発明は、タッチパネルに関する。
【背景技術】
【０００２】
従来より、タッチパネル装置において、４つの周囲電極の各辺に平行で直線状に形成された補助電極を補助電極同士が短絡しないように互いに一定の距離を置いて配置し、前記周囲電極と前記補助電極とをＩＴＯパターンで接続したタッチパネルがあった。このタッチパネルは、前記周囲電極の四隅からコントロール部へ接続するための接続線と、前記補助電極それぞれの両端から前記コントロール部へ接続するための接続線を有する（例えば、特許文献１参照）。
【０００３】
また、抵抗タッチ領域を有する基板と、タッチ領域と電気的に結合した１組の電極と、電極の上および近傍に位置決めされた、タッチ領域に対面する伝導層を含むカバーシートと、タッチ領域を縁どり、さらに、電極の抵抗率とタッチ領域の抵抗率との間の中間抵抗率を有する複数のバンド部分であって、ここで、電極はバンド部分の間に配置され、さらに、少なくとも１つのバンド部分はその長さに沿って変化する線形抵抗を有し、各バンド部分は、その長さの少なくとも一部分に沿って連続し、または疑似連続しているものと、直流電源に接続された電極とを含むタッチセンサがあった（例えば、特許文献２参照）。
【０００４】
また、抵抗膜と、該抵抗膜に電圧を印加する共通電極と、該共通電極に電圧を印加する電圧供給部とを有し、該電圧供給部から該共通電極に電圧を印加し、該共通電極から該抵抗膜に電位を供給することにより、該抵抗膜に電位分布を発生させ、前記抵抗膜の接触位置の電位を検出することにより、前記抵抗膜の接触位置座標を検出する座標検出装置であって、前記共通電極と前記抵抗膜との間に配置され、前記共通電極から前記抵抗膜に電位を供給する電位供給部が形成された共通電極−抵抗膜間絶縁膜を有することを特徴とするタッチパネルがあった（例えば、特許文献３参照）。
【先行技術文献】
【特許文献】
【０００５】
【特許文献１】特開２０１１−００３０４９号公報
【特許文献２】特表２００７−５３１０８２号公報
【特許文献３】特開２００７−０２５９０４号公報
【発明の概要】
【発明が解決しようとする課題】
【０００６】
ところで、従来のタッチパネルは、座標検出を行うために電圧を印加した際に、電位分布が歪むという課題があった。
【０００７】
また、電位分布が歪むと座標検出を正確に行えない場合があるため、座標検出を行う駆動回路において、電位分布の歪みを補正する必要があるという課題があった。
【０００８】
そこで、本発明は、電位分布の歪みを抑制したタッチパネルを提供することを目的とする。
【課題を解決するための手段】
【０００９】
本発明の一観点によるタッチパネルは、第１基板の表面に形成される第１導電膜を有する第１電極基板と、第２基板の表面に形成され、前記第１導電膜と対向する第２導電膜を有する第２電極基板と、前記第１導電膜の上に互いに平行に形成され、前記第１導電膜に電位を印加する一対の第１電極と、前記第１導電膜の上に互いに平行に形成されるとともに、前記第１電極とともに矩形環状をなすように配置され、前記第１導電膜に電位を印加する一対の第２電極と、前記第１電極に並列に接続され、前記第１電極の長手方向における中央部よりも端部側の方が抵抗値が高くされる第１抵抗部と、前記第２電極に並列に接続され、前記第２電極の長手方向における中央部よりも端部側の方が抵抗値が高くされる第２抵抗部とを含み、前記第１抵抗部は、前記第１導電膜上に前記第１電極に沿って形成されることにより、前記第１電極に並列に接続され、前記第２抵抗部は、前記第１導電膜上に前記第２電極に沿って形成されることにより、前記第２電極に並列に接続され、前記第１抵抗部及び第２抵抗部は、それぞれ、平面視において、矩形環状に配置される前記第１電極及び前記第２電極よりも外側に配置される、タッチパネル
【発明の効果】
【００２３】
本発明によれば、電位分布の歪みを抑制したタッチパネルを提供することができる。
【図面の簡単な説明】
【００２４】
【図１】実施の形態１のタッチパネルの上部電極基板の構造図である。
【図２】実施の形態１のタッチパネルの下部電極基板の構造の概略を示す図である。
【図３】実施の形態１のタッチパネルの断面図である。
【図４】実施の形態１のタッチパネルの動作を説明するための図である。
【図５】実施の形態１のタッチパネルの動作原理を示す図である。
【図６】実施の形態１のタッチパネルの下部電極基板２０の透明導電膜２２の上に形成される電極２３と抵抗部４０のパターンを示す図である。
【図７】比較例の下部電極基板２０Ａにおける電位分布を示す図である。
【図８】実施の形態１のタッチパネル１００の下部電極基板２０による等電位線を示す図である。
【図９】実施の形態２のタッチパネルの下部電極基板２２０の構成を示す平面図である。
【図１０】実施の形態３のタッチパネルの下部電極基板３２０の構成を示す平面図である。
【図１１】実施の形態４のタッチパネルの下部電極基板４２０の構成を示す平面図である。
【図１２】実施の形態５のタッチパネルの下部電極基板５２０の構成を示す平面図である。
【図１３】実施の形態６のタッチパネルの下部電極基板６２０の構成を示す平面図である。
【発明を実施するための形態】
【００２５】
本発明の実施の形態のタッチパネルについて、以下に説明する。
【００２６】
図１は実施の形態１のタッチパネルの上部電極基板の構造図である。図２は実施の形態１のタッチパネルの下部電極基板の構造の概略を示す図である。図３は実施の形態１のタッチパネルの断面図である。図４は実施の形態１のタッチパネルの動作を説明するための図である。図５は、実施の形態１のタッチパネルの動作原理を示す図である。
【００２７】
実施の形態１のタッチパネル１００は、フィルム１１の一方の面に透明導電膜１２が形成された略長方形状の上部電極基板１０と、上部電極基板１０と略同じ形状のガラス基板２１の一方の面に透明導電膜２２が形成された下部電極基板２０とを含む。
【００２８】
また、タッチパネル１００は、座標検出回路５０を有する駆動回路５１をさらに含む。なお、図３に示す座標検出回路５０及び駆動回路５１は一例であり、座標検出回路５０及び駆動回路５１の構成は図３に示すものに限られない。
【００２９】
上部電極基板１０と下部電極基板２０とは、上部電極基板１０の透明導電膜１２と下部電極基板２０の透明導電膜２２とが対向するように、スペーサ３１等を介し、接着剤または両面テープにより接合されている。
【００３０】
上部電極基板１０の透明導電膜１２は、短手方向である縦方向に４分割、長手方向である横方向に８分割されており全体が３２個の導電領域に分割されている。
【００３１】
ここで、透明導電膜１２を３２個の導電領域に分割する境界線のうち、横方向に伸びる境界線を１２Ｘ、縦方向に伸びる境界線を１２Ｙと称す。
【００３２】
透明導電膜１２の各々の導電領域の分割（境界線１２Ｘ、１２Ｙの形成）は、導電領域となる領域間の透明導電膜１２を除去することにより行われる。これにより、分割された導電領域間を電気的に絶縁することができる。
【００３３】
各々の分割された透明導電膜１２は、上部電極基板１０の短手方向の両端に設けられた引出電極部１３の各々の引出電極と接続されており、上部電極基板１０の周囲に配線され、上部電極基板１０の長手方向の一方の端部においてフレキシブル基板（Flexible
Printed Circuit board：ＦＰＣ）１４と接続されている。フレキシブル基板１４の端部には、端子１５が接続されている。端子１５は、座標検出回路５０を含む駆動回路５１（図３参照）に接続される。
【００３４】
また、下部電極基板２０は、図４に示すように下部電極基板２０を構成する４辺の端部において、透明導電膜２２上に矩形環状の電極２３が設けられている。電極２３は、例えば、Ａｇ−Ｃ又はＡｇ製の抵抗膜で構成されており、４つの頂点部ＬＬ、ＬＲ、ＵＬ、ＵＲには、各頂点部の電位を制御するために引出線が接続されている。ここでは、電極２３がＡｇ−Ｃ製の抵抗膜で構成される形態について説明する。
【００３５】
この引出線は、下部電極基板２０の周囲より引出され、図２に示すように、下部電極基板２０の長手方向の一方の端部においてフレキシブル基板２７に接続され、さらにフレキシブル基板２７には端子２８が接続されている。
【００３６】
なお、実施の形態１の下部電極基板２０は、電極２３に加えて抵抗部を含むが、補助抵抗部については、図６を用いて後に説明を行う。
【００３７】
フレキシブル基板１４の端子１５とフレキシブル基板２７の端子２８はともに駆動回路５１に接続されている。尚、透明導電膜１２及び透明導電膜２２を構成する材料としては、ＩＴＯ（Indium Tin Oxide）、ＺｎＯ（酸化亜鉛）にＡｌまたはＧａ等が添加された材料、ＳｎＯ２（酸化スズ）にＳｂ等が添加された材料等が挙げられる。
【００３８】
また、フィルム１１は、ＰＥＴ（ポリエチレンテレフタレート：polyethylene terephthalate）、ＰＣ（ポリカーボネート：Polycarbonate）及び、可視領域において透明の樹脂材料が挙げられる。更に、ガラス基板２１に代えて、樹脂基板を用いてもよい。
【００３９】
ここで、ガラス基板２１は第１基板の一例であり、透明導電膜２２は第１導電膜の一例であり、下部電極基板２０は第１電極基板の一例である。また、フィルム１１は第２基板の一例であり、透明導電膜１２は第２導電膜の一例であり、上部電極基板１０は第２電極基板の一例である。
【００４０】
ここで、図５（Ａ）、（Ｂ）を用いて、実施の形態１のタッチパネル１００における接触位置の検出原理について説明する。
【００４１】
下部電極基板２０の透明導電膜２２上に設けられた矩形環状の電極２３の頂点部ＬＬ、ＬＲ、ＵＬ、ＵＲに印加する電圧は、駆動回路５１によって制御され、Ｘ軸方向、Ｙ軸方向に交互に電圧が印加される。
【００４２】
実施の形態１のタッチパネル１００は、図５（Ａ）に示すように、透明導電膜２２の端部の４辺に設けられた電極２３の頂点部ＬＬ、ＬＲ、ＵＬ、ＵＲにより、Ｘ軸方向、Ｙ軸方向に交互に電圧を印加する。透明導電膜１２と透明導電膜２２とが、接触位置Ａ点において接触すると、図５（Ｂ）に示すように、透明導電膜１２を介し電位Ｖａを検出し、Ｘ軸方向及びＹ軸方向の各々の座標位置を検出する。
【００４３】
また、図４に示すように、上部電極基板１０の透明導電膜１２は３２の領域に分割されており、分割された各々の領域について時分割による走査が行われ、各領域における接触位置を特定する。
【００４４】
このように、上部電極基板１０において透明導電膜１２を分割し導電領域を形成することにより、上部電極基板１０と下部電極基板２０とが接触した接触位置が複数であっても、分割された透明導電膜１２の導電領域ごとに接触位置を座標検出回路５０で特定することができるため、各々の領域における接触位置を独立して検出することができる。
【００４５】
具体的には、図４に示すように、上部電極基板１０の透明導電膜１２と、下部電極基板２０の透明導電膜２２との接触位置が、矢印Ａ、Ｂ、Ｃ、Ｄ、Ｅに示すように５つの場合である場合、各々の接触位置は、分割された透明導電膜１２の領域が異なるため、各々独立して接触位置が検出することが可能である。
【００４６】
例えば、上部電極基板１０と下部電極基板２０との接触位置が矢印Ａに示す位置である場合、透明導電膜１２の導電領域１２ａにおいて接触しており、接触位置が矢印Ｂに示す位置である場合、透明導電膜１２の導電領域１２ｂにおいて接触しており、接触位置が矢印Ｃに示す位置である場合、透明導電膜１２の導電領域１２ｃにおいて接触しており、接触位置が矢印Ｄに示す位置である場合、透明導電膜１２の導電領域１２ｄにおいて接触しており、接触位置が矢印Ｅに示す位置である場合、透明導電膜１２の導電領域１２ｅにおいて接触しているが、透明導電膜１２の導電領域１２ａ、１２ｂ、１２ｃ、１２ｄ、１２ｅは相互に絶縁された異なる領域であることから、各々を独立して検出することができる。
【００４７】
従って、上部電極基板１０と下部電極基板２０との接触位置が５つの場合であっても、各々の接触位置を特定することが可能である。
【００４８】
以上より、透明導電膜１２と透明導電膜２２との接触位置が複数であっても、接触した導電領域を特定することができるとともに、透明導電膜２２における電位分布を検出することにより、より正確に座標位置を検出することが可能である。また、透明導電膜１２と透明導電膜２２との接触位置を移動させた場合においても、接触位置が移動したことを認識することができるとともに、透明導電膜２２における電位分布を検出することにより、移動した接触位置の位置座標を検出することも可能である。
【００４９】
なお、ここでは、透明導電膜１２が３２の領域に分割される形態について説明するが、分割数はいくつであってもよく、また、分割が行われずに透明導電膜１２の全体が一つの領域であってもよい。
【００５０】
次に、図６を用いて、実施の形態１のタッチパネル１００の下部電極基板２０の具体的な構成について説明する。
【００５１】
図６は、実施の形態１のタッチパネルの下部電極基板２０の透明導電膜２２の上に形成される電極２３と抵抗部４０のパターンを示す図である。図６では、左下に示すように、相直交するＸ軸及びＹ軸を用いて説明を行う。
【００５２】
ここで、平面視で矩形環状に形成される電極２３の四辺をそれぞれ、電極部２３ＸＬ、２３ＸＵ、２３ＹＬ、２３ＹＲとする。電極部２３ＸＬは、頂点部ＬＬと頂点部ＬＲとの間に位置し、Ｘ軸方向に延在する辺の部分である。電極部２３ＸＵは、頂点部ＵＬと頂点部ＵＲとの間に位置し、Ｘ軸方向に延在する辺の部分である。電極部２３ＹＬは、頂点部ＬＬと頂点部ＵＬとの間に位置し、Ｙ軸方向に延在する辺の部分である。電極部２３ＹＲは、頂点部ＬＲと頂点部ＵＲとの間に位置し、Ｙ軸方向に延在する辺の部分である。
【００５３】
実施の形態１の下部電極基板２０は、透明導電膜２２の表面上に抵抗部４０を有する。
【００５４】
抵抗部４０は、平面視において、電極２３の電極部２３ＸＬ、２３ＸＵ、２３ＹＬ、２３ＹＲが構成する矩形環の外側に位置するように配列される複数の抵抗部である。抵抗部４０は、電極部２３ＸＬ、２３ＸＵの近傍にＸ軸方向に沿って形成される抵抗部４０ＸＬ、４０ＸＵと、電極部２３ＹＬ、２３ＹＲの近傍にＹ軸方向に沿って形成される抵抗部４０ＹＬ、４０ＹＲとを含む。
【００５５】
ここで、電極部２３ＸＬ、２３ＸＵは第１電極の一例であり、電極部２３ＹＬ、２３ＹＲは第２電極の一例である。
【００５６】
抵抗部４０ＸＬ、４０ＸＵ、４０ＹＬ、４０ＹＲは、例えば、Ａｇペーストを印刷することによって形成される。Ａｇペーストの抵抗値は、電極部２３ＸＬ、２３ＸＵ、２３ＹＬ、２３ＹＲを構成するＡｇ−Ｃ製の導電膜の抵抗値の約１／１０である。
【００５７】
抵抗部４０ＸＬ、４０ＸＵは、例えば、それぞれ１０個ずつ配列されており、各抵抗部４０ＸＬ、４０ＸＵの長さは、例えば、電極部２３ＸＬ、２３ＸＵの長さの１／２０に設定されている。
【００５８】
抵抗部４０ＸＬ、４０ＸＵは、それぞれ、電極部２３ＸＬ、２３ＸＵの長手方向の中央部において密に配置され、電極部２３ＸＬ、２３ＸＵの長手方向の端部において粗に配置される第１抵抗部の一例である。
【００５９】
すなわち、抵抗部４０ＸＬ、４０ＸＵは、それぞれ、電極部２３ＸＬ、２３ＸＵの長手方向の中央部において隣同士の間隔が狭く配置され、電極部２３ＸＬ、２３ＸＵの長手方向の端部において隣同士の間隔が広く配置される。
【００６０】
抵抗部４０ＸＬは、透明導電膜２２上において、電極部２３ＸＬの近傍に配設されるため、上述のように配置することにより、電極部２３ＸＬと抵抗部４０ＸＬの合成抵抗値は、電極部２３ＸＬの長手方向における中央部側において低くなり、長手方向における端部側において高くなる。
【００６１】
同様に、抵抗部４０ＸＵは、透明導電膜２２上において、電極部２３ＸＵの近傍に配設されるため、上述のように配置することにより、電極部２３ＸＵと抵抗部４０ＸＵの合成抵抗値は、電極部２３ＸＵの長手方向における中央部側において低くなり、長手方向における端部側において高くなる。
【００６２】
抵抗部４０ＹＬ、４０ＹＲは、例えば、それぞれ１０個ずつ配列されており、各抵抗部４０ＹＬ、４０ＹＲの長さは、例えば、電極部２３ＹＬ、２３ＹＲの長さの１／２０に設定されている。
【００６３】
抵抗部４０ＹＬ、４０ＹＲは、それぞれ、電極部２３ＹＬ、２３ＹＲの長手方向の中央部において密に配置され、電極部２３ＹＬ、２３ＹＲの長手方向の端部において粗に配置される第２抵抗部の一例である。
【００６４】
すなわち、抵抗部４０ＹＬ、４０ＹＲは、それぞれ、電極部２３ＹＬ、２３ＹＲの長手方向の中央部において隣同士の間隔が狭く配置され、電極部２３ＹＬ、２３ＹＲの長手方向の端部において隣同士の間隔が広く配置される。
【００６５】
抵抗部４０ＹＬは、透明導電膜２２上において、電極部２３ＹＬの近傍に配設されるため、上述のように配置することにより、電極部２３ＹＬと抵抗部４０ＹＬの合成抵抗値は、電極部２３ＹＬの長手方向における中央部側において低くなり、長手方向における端部側において高くなる。
【００６６】
同様に、抵抗部４０ＹＲは、透明導電膜２２上において、電極部２３ＹＲの近傍に配設されるため、上述のように配置することにより、電極部２３ＹＲと抵抗部４０ＹＲの合成抵抗値は、電極部２３ＹＲの長手方向における中央部側において低くなり、長手方向における端部側において高くなる。
【００６７】
このように、抵抗部４０ＸＬ、４０ＸＵ、４０ＹＬ、４０ＹＲをそれぞれ、電極部２３ＸＬ、２３ＸＵ、２３ＹＬ、２３ＹＲの長手方向の中央部側において密に配置し、端部側において粗に配置するのは、電極部２３ＸＬ、２３ＸＵ、２３ＹＬ、２３ＹＲとの合成抵抗値を中央部側で低くし、端部側で高くすることにより、透明導電膜２２上における電位分布を矯正するためである。
【００６８】
ここで、図７を用いて、抵抗部４０ＸＬ、４０ＸＵ、４０ＹＬ、４０ＹＲを含まない下部電極基板２０Ａにおける電位分布について説明する。
【００６９】
図７（Ａ）、（Ｂ）は、比較例の下部電極基板２０Ａにおける電位分布を示す図である。
【００７０】
図７（Ａ）に示すように、頂点部ＬＬ、ＵＬに５（Ｖ）の電圧を印加し、頂点部ＬＲ、ＵＲを０（Ｖ）に保持することによってＸ軸方向に電位分布を形成すると、透明導電膜２２上に実線で示すような等電位線を得る。等電位線は、Ｘ軸方向の中央部ではＹ軸に沿って真っ直ぐであるが、Ｘ軸方向の端部側に行くほどＹ軸に対して湾曲がきつくなる。
【００７１】
このように、等電位線がＸ軸方向の端部側において大きく湾曲するのは、電極部２３ＹＬ、２３ＹＲでＸ軸方向に電位分布を形成しても、電極部２３ＹＬ、２３ＹＲは、電極部２３ＸＬ、２３ＸＵで接続されているため、電極部２３ＸＬ、２３ＸＵの頂点部ＬＬ、ＵＬ、ＬＲ、ＵＲに近い部分に電圧がかかってしまうからである。このため、電極部２３ＹＬ、２３ＹＲでＸ軸方向に電位分布を形成すると、Ｘ軸方向の端部側では電位分布に歪みが生じる。
【００７２】
また、図７（Ｂ）に示すように、頂点部ＵＬ、ＵＲに５（Ｖ）の電圧を印加し、頂点部ＬＬ、ＬＲを０（Ｖ）に保持することによってＹ軸方向に電位分布を形成すると、透明導電膜２２上に実線で示すような等電位線を得る。等電位線は、Ｙ軸方向の中央部ではＸ軸に沿って真っ直ぐであるが、Ｙ軸方向の端部側に行くほどＸ軸に対して湾曲がきつくなる。
【００７３】
このように、等電位線がＹ軸方向の端部側において大きく湾曲するのは、電極部２３ＸＬ、２３ＸＵでＹ軸方向に電位分布を形成しても、電極部２３ＸＬ、２３ＸＵは、電極部２３ＹＬ、２３ＹＲで接続されているため、電極部２３ＹＬ、２３ＹＲの頂点部ＬＬ、ＵＬ、ＬＲ、ＵＲに近い部分に電圧がかかってしまうからである。このため、電極部２３ＸＬ、２３ＸＵでＹ軸方向に電位分布を形成すると、Ｙ軸方向の端部側では電位分布に歪みが生じる。
【００７４】
このように、比較例の下部電極基板２０Ａでは、Ｘ軸方向及びＹ軸方向に電圧を印加したときに、それぞれ、Ｘ軸方向及びＹ軸方向における端部側において電位分布の歪みが大きくなるという問題がある。
【００７５】
これに対して、実施の形態１のタッチパネル１００の下部電極基板２０は、上述のように、抵抗部４０ＸＬ、４０ＸＵをそれぞれ、電極部２３ＸＬ、２３ＸＵの長手方向の中央部側において密に配置し、端部側において粗に配置することにより、電極部２３ＸＬ、２３ＸＵとのＸ軸方向における合成抵抗値を中央部側で低くし、端部側で高くしている。
【００７６】
このように、電極部２３ＸＬ、２３ＸＵの長手方向における中央部側の抵抗値を端部側の抵抗値より低くすると、中央部側よりも端部側の方がＸ軸方向における電位勾配が急になるため、端部側で等電位線が湾曲しにくくなる。
【００７７】
Ｙ軸方向においても同様に、実施の形態１のタッチパネル１００の下部電極基板２０は、上述のように、抵抗部４０ＹＬ、４０ＹＲをそれぞれ、電極部２３ＹＬ、２３ＹＲの長手方向の中央部側において密に配置し、端部側において粗に配置することにより、電極部２３ＹＬ、２３ＹＲとのＹ軸方向における合成抵抗値を中央部側で低くし、端部側で高くしている。
【００７８】
このように、電極部２３ＹＬ、２３ＹＲの長手方向における中央部側の抵抗値を端部側の抵抗値より低くすると、中央部側よりも端部側の方がＹ軸方向における電位勾配が急になるため、端部側で等電位線が湾曲しにくくなる。
【００７９】
従って、実施の形態１のタッチパネル１００の下部電極基板２０によれば、図８に示すような等電位線を得ることができる。
【００８０】
図８（Ａ）、（Ｂ）は、実施の形態１のタッチパネル１００の下部電極基板２０による等電位線を示す図である。
【００８１】
図８（Ａ）に示すように、頂点部ＬＬ、ＵＬに５（Ｖ）の電圧を印加し、頂点部ＬＲ、ＵＲを０（Ｖ）に保持することによってＸ軸方向に電位分布を形成すると、透明導電膜２２上に実線で示すような等電位線を得る。
【００８２】
図８（Ａ）には、４（Ｖ）、３（Ｖ）、２（Ｖ）、１（Ｖ）の等電位線を示すが、等電位線は、Ｘ軸方向の中央部だけでなく、Ｘ軸方向の端部においてもＹ軸に沿って真っ直ぐである。
【００８３】
これは、電極部２３ＹＬ、２３ＹＲと抵抗部４０ＹＬ、４０ＹＲとの長手方向における中央部側の合成抵抗値を端部側の合成抵抗値より低くして、中央部側よりも端部側のＸ軸方向における電位勾配を急にすることにより、端部側で等電位線が湾曲しにくくなり、等電位線が矯正されたためである。
【００８４】
また、図８（Ｂ）に示すように、頂点部ＵＬ、ＵＲに５（Ｖ）の電圧を印加し、頂点部ＬＬ、ＬＲを０（Ｖ）に保持することによってＹ軸方向に電位分布を形成すると、透明導電膜２２上に実線で示すような等電位線を得る。
【００８５】
図８（Ｂ）には、４（Ｖ）、３（Ｖ）、２（Ｖ）、１（Ｖ）の等電位線を示すが、等電位線は、Ｙ軸方向の中央部だけでなく、Ｙ軸方向の端部においてもＸ軸に沿って真っ直ぐである。
【００８６】
これは、電極部２３ＸＬ、２３ＸＵと抵抗部４０ＸＬ、４０ＸＵの長手方向における中央部側の合成抵抗値を端部側の合成抵抗値よりも低くして、中央部側よりも端部側のＹ軸方向における電位勾配を急にすることにより、端部側で等電位線が湾曲しにくくなり、等電位線が矯正されたためである。
【００８７】
以上のように、実施の形態１のタッチパネル１００によれば、電極部２３ＸＬ、２３ＸＵ、２３ＹＬ、２３ＹＲの周囲に、それぞれ抵抗部４０ＸＬ、４０ＸＵ、４０ＹＬ、４０ＹＲを配置し、抵抗部４０ＸＬ、４０ＸＵ、４０ＹＬ、４０ＹＲをそれぞれ、電極部２３ＸＬ、２３ＸＵ、２３ＹＬ、２３ＹＲの長手方向の中央部側において密に配置し、端部側において粗に配置することにより、下部電極基板２０の透明導電膜２２における電位分布を矯正することができる。
【００８８】
なお、上述のように、実施の形態１のタッチパネル１００の下部電極基板２０には、電極２３に加えて透明導電膜２２上に抵抗部４０ＸＬ、４０ＸＵ、４０ＹＬ、４０ＹＲが配置される。抵抗部４０ＸＬ、４０ＸＵ、４０ＹＬ、４０ＹＲは、電極２３でＸ方向及びＹ方向に電位分布を生じさせる際に、電極２３を補助する形で電位分布の発生に寄与する。
【００８９】
このため、実施の形態１の下部電極基板２０の電極２３は、比較例の下部電極基板２０Ａの電極２３（図７参照）よりも幅を細くすることができる。
【００９０】
従って、実施の形態１の下部電極基板２０の電極２３と抵抗部４０ＸＬ、４０ＸＵ、４０ＹＬ、４０ＹＲとを合わせた幅を、比較例の下部電極基板２０Ａの電極２３と同等あるいはそれ以下の幅にすれば、タッチパネル１００の表示領域の周囲に額縁のように存在する部分が大きく（太く）なることを抑制できる。従って、実施の形態１のタッチパネル１００によれば、比較例の下部電極基板２０Ａを含むタッチパネルと同様に、広い表示領域を確保することができる。
【００９１】
また、以上では、抵抗部４０ＸＬ、４０ＸＵ、４０ＹＬ、４０ＹＲの長さがそれぞれ電極部２３ＸＬ、２３ＸＵ、２３ＹＬ、２３ＹＲの１／２０であり、それぞれ１０個ずつ配列される形態について説明したが、抵抗部４０ＸＬ、４０ＸＵ、４０ＹＬ、４０ＹＲの長さ及び個数は、上述の形態のものに限定されず、下部電極基板２０及び透明導電膜２２のサイズや縦横比等に応じて適宜変更することができる。
【００９２】
また、以上では、抵抗部４０ＸＬ、４０ＸＵ、４０ＹＬ、４０ＹＲをそれぞれ１０個ずつ配列される形態について説明したが、Ｘ軸方向に配置する抵抗部４０ＸＬ、４０ＸＵと、抵抗部４０ＹＬ、４０ＹＲとの数は同一でなくてもよい。
【００９３】
なお、実施の形態１のタッチパネル１００の下部電極基板２０の電極部２３ＸＬ、２３ＸＵ、２３ＹＬ、２３ＹＲと抵抗部４０ＸＬ、４０ＸＵ、４０ＹＬ、４０ＹＲの上には、絶縁層が形成され、この絶縁層の上に、頂点部ＬＬ、ＵＬ、ＬＲ、ＵＲに電圧を印加する配線が形成される。さらに、この配線の上には別の絶縁層が形成され、上部電極基板１０の透明導電膜１０と絶縁される。下部電極基板２０の電極部２３ＸＬ、２３ＸＵ、２３ＹＬ、２３ＹＲと抵抗部４０ＸＬ、４０ＸＵ、４０ＹＬ、４０ＹＲの上に形成される絶縁層と、頂点部ＬＬ、ＵＬ、ＬＲ、ＵＲに電圧を印加する配線の上に形成される絶縁層は、電極部２３ＸＬ、２３ＸＵ、２３ＹＬ、２３ＹＲの内側にあるタッチパネル１００の表示領域には形成されない。
【００９４】
＜実施の形態２＞
図９は、実施の形態２のタッチパネルの下部電極基板２２０の構成を示す平面図である。実施の形態２のタッチパネルは、下部電極基板２２０の構成が実施の形態１のタッチパネル１００の下部電極基板２０の構成と異なるが、下部電極基板２２０の構成以外は実施の形態１のタッチパネル１００と同様である。このため、ここでは、図９を用いて、実施の形態２のタッチパネルの下部電極基板２２０について説明を行う。
【００９５】
下部電極基板２２０は、電極２３０と抵抗部２４０とが透明導電膜２２上に形成された構造を有する。
【００９６】
電極２３０は、平面視で矩形環状に形成される電極部２３０ＸＬ、２３０ＸＵ、２３０ＹＬ、２３０ＹＲを有する。電極部２３０ＸＬは、頂点部ＬＬと頂点部ＬＲとの間に位置し、Ｘ軸方向に延在する辺の部分である。電極部２３０ＸＵは、頂点部ＵＬと頂点部ＵＲとの間に位置し、Ｘ軸方向に延在する辺の部分である。電極部２３０ＹＬは、頂点部ＬＬと頂点部ＵＬとの間に位置し、Ｙ軸方向に延在する辺の部分である。電極部２３０ＹＲは、頂点部ＬＲと頂点部ＵＲとの間に位置し、Ｙ軸方向に延在する辺の部分である。
【００９７】
電極部２３０ＸＬ、２３０ＸＵ、２３０ＹＬ、２３０ＹＲは、長手方向の中央部において幅が細くされ、平面視で矩形環の外側にある辺が曲線を描くように長手方向の端部にかけて幅が太くなるように構成されている。電極部２３０ＸＬ、２３０ＸＵ、２３０ＹＬ、２３０ＹＲの平面視で矩形環の内側にある辺は直線状に形成されている。
【００９８】
電極部２３０ＸＬ、２３０ＸＵ、２３０ＹＬ、２３０ＹＲは、例えば、Ａｇ−Ｃ又はＡｇ製の導電膜で構成することができるが、ここでは、一例として、電極部２３０ＸＬ、２３０ＸＵ、２３０ＹＬ、２３０ＹＲがＡｇ−Ｃ製の導電膜で構成される形態について説明する。
【００９９】
抵抗部２４０は、平面視において、電極２３０の電極部２３０ＸＬ、２３０ＸＵ、２３０ＹＬ、２３０ＹＲが構成する矩形環の外側に位置するように配列される抵抗部である。抵抗部２４０は、電極部２３０ＸＬ、２３０ＸＵの近傍でＸ軸方向に沿って形成される抵抗部２４０ＸＬ、２４０ＸＵと、電極部２３０ＹＬ、２３０ＹＲの近傍でＹ軸方向に沿って形成される抵抗部２４０ＹＬ、２４０ＹＲとを含む。
【０１００】
抵抗部２４０ＸＬ、２４０ＸＵ、２４０ＹＬ、２４０ＹＲは、例えば、Ａｇペーストを印刷することによって形成される。Ａｇペーストの抵抗値は、電極部２３０ＸＬ、２３０ＸＵ、２３０ＹＬ、２３０ＹＲを構成するＡｇ−Ｃ製の導電膜の抵抗値の約１／１０である。
【０１０１】
抵抗部２４０ＸＬ、２４０ＸＵは、それぞれ、電極部２３０ＸＬ、２３０ＸＵの長手方向の中央部において幅が太くされ、電極部２３０ＸＬ、２３０ＸＵの長手方向の端部において幅が細くされる。抵抗部２４０ＸＬ、２４０ＸＵは、平面視において、電極部２３０ＸＬ、ＸＵの外側の辺の湾曲に対応するように湾曲した内側の辺を有し、外側の辺は直線状に構成される。
【０１０２】
すなわち、抵抗部２４０ＸＬ、２４０ＸＵは、それぞれ、電極部２３０ＸＬ、２３０ＸＵの長手方向の中央部において幅が太く（広く）され、電極部２３０ＸＬ、２３０ＸＵの長手方向の端部において幅が細く（狭く）される第１抵抗部の一例である。
【０１０３】
ここで、例えば、電極部２３０ＸＬ、２３０ＸＵと、抵抗部２４０ＸＬ、２４０ＸＵの高さ（厚さ）は同一の高さ（厚さ）に設定され、抵抗部２４０ＸＬ、２４０ＸＵの幅は、長手方向の中央部において、電極部２３０ＸＬ、２３０ＸＵの幅の１．５倍に設定される。また、抵抗部２４０ＸＬ、２４０ＸＵの幅は、長手方向の中央部から端部に向かって徐々に細くなり、電極部２３０ＸＬ、２３０ＸＵの最端部では幅は零になる。
【０１０４】
このような幅を有する抵抗部２４０ＸＬは、透明導電膜２２上において、電極部２３０ＸＬの近傍に配設されるため、電極部２３０ＸＬと抵抗部２４０ＸＬの合成抵抗値は、電極部２３０ＸＬの長手方向における中央部側において低くなり、長手方向における端部側において高くなるように設定されている。
【０１０５】
同様に、上述のような幅を有する抵抗部２４０ＸＵは、透明導電膜２２上において、電極部２３０ＸＵの近傍に配設されるため、電極部２３０ＸＵと抵抗部２４０ＸＵの合成抵抗値は、電極部２３０ＸＵの長手方向における中央部側において低くなり、長手方向における端部側において高くなるように設定されている。
【０１０６】
抵抗部２４０ＹＬ、２４０ＹＲは、それぞれ、電極部２３０ＹＬ、２３０ＹＲの長手方向の中央部において幅が太くされ、電極部２３０ＹＬ、２３０ＹＲの長手方向の端部において幅が細くされる。抵抗部２４０ＹＬ、２４０ＹＲは、平面視において、電極部２３０ＹＬ、２３０ＹＲの外側の辺の湾曲に対応するように湾曲した内側の辺を有し、外側の辺は直線状に構成される。
【０１０７】
ここで、例えば、電極部２３０ＹＬ、２３０ＹＲと、抵抗部２４０ＹＬ、２４０ＹＲの高さ（厚さ）は同一の高さ（厚さ）に設定され、抵抗部２４０ＹＬ、２４０ＹＲの幅は、長手方向の中央部において、電極部２３０ＹＬ、２３０ＹＲの幅の１．５倍に設定される。また、抵抗部２４０ＹＬ、２４０ＹＲの幅は、長手方向の中央部から端部に向かって徐々に細くなり、電極部２３０ＹＬ、２３０ＹＲの最端部では幅は零になる。
【０１０８】
すなわち、抵抗部２４０ＹＬ、２４０ＹＲは、それぞれ、電極部２３０ＹＬ、２３０ＹＲの長手方向の中央部において幅が太く（広く）され、電極部２３０ＹＬ、２３０ＹＲの長手方向の端部において幅が細く（狭く）される第２抵抗部の一例である。
【０１０９】
このような幅を有する抵抗部２４０ＹＬは、透明導電膜２２上において、電極部２３０ＹＬの近傍に配設されるため、電極部２３０ＹＬと抵抗部２４０ＹＬの合成抵抗値は、電極部２３０ＹＬの長手方向における中央部側において低くなり、長手方向における端部側において高くなるように設定されている。
【０１１０】
同様に、上述のような幅を有する抵抗部２４０ＹＲは、透明導電膜２２上において、電極部２３０ＹＲの近傍に配設されるため、電極部２３０ＹＲと抵抗部２４０ＹＲの合成抵抗値は、電極部２３０ＹＲの長手方向における中央部側において低くなり、長手方向における端部側において高くなるように設定されている。
【０１１１】
このように、抵抗部２４０ＸＬ、２４０ＸＵ、２４０ＹＬ、２４０ＹＲをそれぞれ、電極部２３０ＸＬ、２３０ＸＵ、２３０ＹＬ、２３０ＹＲの長手方向の中央部側において幅を太くし、端部側において幅を細くするのは、電極部２３０ＸＬ、２３０ＸＵ、２３０ＹＬ、２３０ＹＲとの合成抵抗値を中央部側で低くし、端部側で高くすることにより、透明導電膜２２上における電位分布を矯正するためである。
【０１１２】
従って、実施の形態２のタッチパネルの下部電極基板２２０は、実施の形態１のタッチパネル１００の下部電極基板２０と同様に、電位分布を矯正することができる（図８（Ａ）、（Ｂ）参照）。
【０１１３】
すなわち、電極部２３０ＸＬ、２３０ＸＵと抵抗部２４０ＸＬ、２４０ＸＵとの長手方向における中央部側における合成抵抗値を端部側の合成抵抗値より低くして中央部側よりも端部側のＹ軸方向における電位勾配を急にすることにより、端部側で等電位線が湾曲しにくくなり、等電位線を矯正することができる。
【０１１４】
また、電極部２３０ＹＬ、２３０ＹＲと抵抗部２４０ＹＬ、２４０ＹＲとの長手方向における中央部側における合成抵抗値を端部側の合成抵抗値より低くして中央部側よりも端部側のＸ軸方向における電位勾配を急にすることにより、端部側で等電位線が湾曲しにくくなり、等電位線を矯正することができる。
【０１１５】
以上、実施の形態のタッチパネルの下部電極基板２２０によれば、実施の形態１のタッチパネル１００の下部電極基板２０と同様に、Ｘ軸方向及びＹ軸方向における均等な電位分布を得ることができる。
【０１１６】
＜実施の形態３＞
図１０は、実施の形態３のタッチパネルの下部電極基板３２０の構成を示す平面図である。実施の形態３のタッチパネルは、下部電極基板３２０の構成が実施の形態１のタッチパネル１００の下部電極基板２０の構成と異なるが、下部電極基板３２０の構成以外は実施の形態１のタッチパネル１００と同様である。このため、ここでは、図１０を用いて、実施の形態３のタッチパネルの下部電極基板３２０について説明を行う。
【０１１７】
実施の形態３の下部電極基板３２０は、実施の形態１の下部電極基板２０の抵抗部４０を電極２３の上に配置した構成を有する。
【０１１８】
下部電極基板３２０は、透明導電膜２２上に形成される電極２３と、電極２３の上に形成される抵抗部３４０とを有する。
【０１１９】
電極２３は、実施の形態１の下部電極基板２０の電極２３と同様であり、電極部２３ＸＬ、２３ＸＵ、２３ＹＬ、２３ＹＲを有する。
【０１２０】
抵抗部３４０は、抵抗部３４０ＸＬ、３４０ＸＵ、３４０ＹＬ、３４０ＹＲを有する。
【０１２１】
抵抗部３４０ＸＬ、３４０ＸＵ、３４０ＹＬ、３４０ＹＲは、実施の形態１の抵抗部４０と同様に、それぞれ、１０個ずつ配設される。
【０１２２】
抵抗部３４０ＸＬ、３４０ＸＵ、３４０ＹＬ、３４０ＹＲは、例えば、Ａｇペーストを印刷することによって形成される。Ａｇペーストの抵抗値は、電極部２３ＸＬ、２３ＸＵ、２３ＹＬ、２３ＹＲを構成するＡｇ−Ｃ製の導電膜の抵抗値の約１／１０である。
【０１２３】
抵抗部３４０ＸＬ、３４０ＸＵは、例えば、それぞれ１０個ずつ配列されており、各抵抗部３４０ＸＬ、３４０ＸＵの長さは、例えば、電極部２３ＸＬ、２３ＸＵの長さの１／２０に設定されている。
【０１２４】
抵抗部３４０ＸＬ、３４０ＸＵは、それぞれ、電極部２３ＸＬ、２３ＸＵの長手方向の中央部において、電極部２３ＸＬ、２３ＸＵの上に密に配置され、電極部２３ＸＬ、２３ＸＵの長手方向の端部において、電極部２３ＸＬ、２３ＸＵの上に粗に配置される第１抵抗部の一例である。
【０１２５】
すなわち、抵抗部３４０ＸＬ、３４０ＸＵは、それぞれ、電極部２３ＸＬ、２３ＸＵの長手方向の中央部において隣同士の間隔が狭く配置され、電極部２３ＸＬ、２３ＸＵの長手方向の端部において隣同士の間隔が広く配置される。
【０１２６】
抵抗部３４０ＸＬを電極部２３ＸＬの上に上述のように配置することにより、電極部２３ＸＬと抵抗部３４０ＸＬの合成抵抗値は、電極部２３ＸＬの長手方向における中央部側において低くなり、長手方向における端部側において高くなる。
【０１２７】
同様に、抵抗部３４０ＸＵを透明導電膜２２上に上述のように配置することにより、電極部２３ＸＵと抵抗部３４０ＸＵの合成抵抗値は、電極部２３ＸＵの長手方向における中央部側において低くなり、長手方向における端部側において高くなる。
【０１２８】
抵抗部３４０ＹＬ、３４０ＹＲは、それぞれ、電極部２３ＹＬ、２３ＹＲの長手方向の中央部において、電極部２３ＹＬ、２３ＹＲの上に密に配置され、電極部２３ＹＬ、２３ＹＲの長手方向の端部において、電極部２３ＹＬ、２３ＹＲの上に粗に配置される第２抵抗部の一例である。
【０１２９】
すなわち、抵抗部３４０ＹＬ、３４０ＹＲは、それぞれ、電極部２３ＹＬ、２３ＹＲの長手方向の中央部において隣同士の間隔が狭く配置され、電極部２３ＹＬ、２３ＹＲの長手方向の端部において隣同士の間隔が広く配置される。
【０１３０】
抵抗部３４０ＹＬを透明導電膜２２上に上述のように配置することにより、電極部２３ＹＬと抵抗部３４０ＹＬの合成抵抗値は、電極部２３ＹＬの長手方向における中央部側において低くなり、長手方向における端部側において高くなる。
【０１３１】
同様に、抵抗部３４０ＹＲを透明導電膜２２上に上述のように配置することにより、電極部２３ＹＲと抵抗部３４０ＹＲの合成抵抗値は、電極部２３ＹＲの長手方向における中央部側において低くなり、長手方向における端部側において高くなる。
【０１３２】
このように、抵抗部３４０ＸＬ、３４０ＸＵ、３４０ＹＬ、３４０ＹＲをそれぞれ、電極部２３ＸＬ、２３ＸＵ、２３ＹＬ、２３ＹＲの長手方向の中央部側において密に配置し、端部側において粗に配置するのは、電極部２３ＸＬ、２３ＸＵ、２３ＹＬ、２３ＹＲとの合成抵抗値を中央部側で低くし、端部側で高くすることにより、透明導電膜２２上における電位分布を矯正するためである。
【０１３３】
従って、実施の形態３のタッチパネルの下部電極基板３２０は、実施の形態１のタッチパネル１００の下部電極基板２０と同様に、電位分布を矯正することができる（図８（Ａ）、（Ｂ）参照）。
【０１３４】
すなわち、電極部２３ＸＬ、２３ＸＵと抵抗部３４０ＸＬ、３４０ＸＵとの長手方向における中央部側における合成抵抗値を端部側の合成抵抗値より低くして中央部側よりも端部側のＹ軸方向における電位勾配を急にすることにより、端部側で等電位線が湾曲しにくくなり、等電位線を矯正することができる。
【０１３５】
また、電極部２３ＹＬ、２３ＹＲと抵抗部３４０ＹＬ、３４０ＹＲとの長手方向における中央部側における合成抵抗値を端部側の合成抵抗値より低くして中央部側よりも端部側のＸ軸方向における電位勾配を急にすることにより、端部側で等電位線が湾曲しにくくなり、等電位線を矯正することができる。
【０１３６】
以上、実施の形態３のタッチパネルの下部電極基板３２０によれば、実施の形態１のタッチパネル１００の下部電極基板２０と同様に、Ｘ軸方向及びＹ軸方向における均等な電位分布を得ることができる。
【０１３７】
＜実施の形態４＞
図１１は、実施の形態４のタッチパネルの下部電極基板４２０の構成を示す平面図である。実施の形態４のタッチパネルは、下部電極基板４２０の構成が実施の形態１のタッチパネル１００の下部電極基板２０の構成と異なるが、下部電極基板４２０の構成以外は実施の形態１のタッチパネル１００と同様である。このため、ここでは、図１１を用いて、実施の形態４のタッチパネルの下部電極基板４２０について説明を行う。
【０１３８】
実施の形態４の下部電極基板４２０は、実施の形態１の抵抗部４０の長さに分布を持たせた構成を有する。
【０１３９】
下部電極基板４２０は、透明導電膜２２上に形成される電極２３と、電極２３の矩形環の外側に配置される抵抗部４４０とを有する。
【０１４０】
電極２３は、実施の形態１の下部電極基板２０の電極２３と同様であり、電極部２３ＸＬ、２３ＸＵ、２３ＹＬ、２３ＹＲを有する。
【０１４１】
抵抗部４４０は、抵抗部４４０ＸＬ、４４０ＸＵ、４４０ＹＬ、４４０ＹＲを有する。
【０１４２】
抵抗部４４０ＸＬは、電極２３ＸＬに沿って、頂点部ＬＬから頂点部ＬＲの方向にかけて、抵抗部４４０ＸＬ１、４４０ＸＬ２、４４０ＸＬ３、４４０ＸＬ４、４４０ＸＬ５を有する。抵抗部４４０ＸＬ１、４４０ＸＬ２、４４０ＸＬ３、４４０ＸＬ４、４４０ＸＬ５は、抵抗部４４０ＸＬ３の長さが最も長く、抵抗部４４０ＸＬ１及び４４０ＸＬ５の長さが最も短く、抵抗部４４０ＸＬ３の長さの約１／４である。
【０１４３】
抵抗部４４０ＸＬ２及び４４０ＸＬ４の長さは、抵抗部４４０ＸＬ３の長さと、抵抗部４４０ＸＬ１及び４４０ＸＬ５の長さとの中間的な長さであり、例えば、抵抗部４４０ＸＬ３の長さの約１／２である。
【０１４４】
抵抗部４４０ＸＬ１、４４０ＸＬ２、４４０ＸＬ３、４４０ＸＬ４、４４０ＸＬ５は、高さ（厚さ）はすべて同一であり、互いの間隔が均等になるように配置される。
【０１４５】
このような長さの比を有する抵抗部４４０ＸＬ１、４４０ＸＬ２、４４０ＸＬ３、４４０ＸＬ４、４４０ＸＬ５を均等間隔で並べるのは、電極部２３ＸＬと抵抗部４４０ＸＬの合成抵抗値を電極部２３ＸＬの長手方向における中央部側において低くし、長手方向における端部側において高くするためである。
【０１４６】
抵抗部４４０ＸＵは、電極２３ＸＵに沿って、頂点部ＬＬから頂点部ＬＲの方向にかけて、抵抗部４４０ＸＵ１、４４０ＸＵ２、４４０ＸＵ３、４４０ＸＵ４、４４０ＸＵ５を有する。抵抗部４４０ＸＵ１、４４０ＸＵ２、４４０ＸＵ３、４４０ＸＵ４、４４０ＸＵ５は、抵抗部４４０ＸＵ３の長さが最も長く、抵抗部４４０ＸＵ１及び４４０ＸＵ５の長さが最も短く、抵抗部４４０ＸＵ３の長さの約１／４である。
【０１４７】
抵抗部４４０ＸＵ２及び４４０ＸＵ４の長さは、抵抗部４４０ＸＵ３の長さと、抵抗部４４０ＸＵ１及び４４０ＸＵ５の長さとの中間的な長さであり、例えば、抵抗部４４０ＸＵ３の長さの約１／２である。
【０１４８】
抵抗部４４０ＸＵ１、４４０ＸＵ２、４４０ＸＵ３、４４０ＸＵ４、４４０ＸＵ５は、高さ（厚さ）はすべて同一であり、互いの間隔が均等になるように配置される。
【０１４９】
このような長さの比を有する抵抗部４４０ＸＵ１、４４０ＸＵ２、４４０ＸＵ３、４４０ＸＵ４、４４０ＸＵ５を均等間隔で並べるのは、電極部２３ＸＵと抵抗部４４０ＸＵの合成抵抗値を電極部２３ＸＵの長手方向における中央部側において低くし、長手方向における端部側において高くするためである。
【０１５０】
抵抗部４４０ＹＬは、電極２３ＹＬに沿って、頂点部ＬＬから頂点部ＬＲの方向にかけて、抵抗部４４０ＹＬ１、４４０ＹＬ２、４４０ＹＬ３、４４０ＹＬ４、４４０ＹＬ５を有する。抵抗部４４０ＹＬ１、４４０ＹＬ２、４４０ＹＬ３、４４０ＹＬ４、４４０ＹＬ５は、抵抗部４４０ＹＬ３の長さが最も長く、抵抗部４４０ＹＬ１及び４４０ＹＬ５の長さが最も短く、抵抗部４４０ＹＬ３の長さの約１／４である。
【０１５１】
抵抗部４４０ＹＬ２及び４４０ＹＬ４の長さは、抵抗部４４０ＹＬ３の長さと、抵抗部４４０ＹＬ１及び４４０ＹＬ５の長さとの中間的な長さであり、例えば、抵抗部４４０ＹＬ３の長さの約１／２である。
【０１５２】
抵抗部４４０ＹＬ１、４４０ＹＬ２、４４０ＹＬ３、４４０ＹＬ４、４４０ＹＬ５は、高さ（厚さ）はすべて同一であり、互いの間隔が均等になるように配置される。
【０１５３】
このような長さの比を有する抵抗部４４０ＹＬ１、４４０ＹＬ２、４４０ＹＬ３、４４０ＹＬ４、４４０ＹＬ５を均等間隔で並べるのは、電極部２３ＹＬと抵抗部４４０ＹＬの合成抵抗値を電極部２３ＹＬの長手方向における中央部側において低くし、長手方向における端部側において高くするためである。
【０１５４】
抵抗部４４０ＹＲは、電極２３ＹＲに沿って、頂点部ＬＬから頂点部ＬＲの方向にかけて、抵抗部４４０ＹＲ１、４４０ＹＲ２、４４０ＹＲ３、４４０ＹＲ４、４４０ＹＲ５を有する。抵抗部４４０ＹＲ１、４４０ＹＲ２、４４０ＹＲ３、４４０ＹＲ４、４４０ＹＲ５は、抵抗部４４０ＹＲ３の長さが最も長く、抵抗部４４０ＹＲ１及び４４０ＹＲ５の長さが最も短く、抵抗部４４０ＹＲ３の長さの約１／４である。
【０１５５】
抵抗部４４０ＹＲ２及び４４０ＹＲ４の長さは、抵抗部４４０ＹＲ３の長さと、抵抗部４４０ＹＲ１及び４４０ＹＲ５の長さとの中間的な長さであり、例えば、抵抗部４４０ＹＲ３の長さの約１／２である。
【０１５６】
抵抗部４４０ＹＲ１、４４０ＹＲ２、４４０ＹＲ３、４４０ＹＲ４、４４０ＹＲ５は、高さ（厚さ）はすべて同一であり、互いの間隔が均等になるように配置される。
【０１５７】
このような長さの比を有する抵抗部４４０ＹＲ１、４４０ＹＲ２、４４０ＹＲ３、４４０ＹＲ４、４４０ＹＲ５を均等間隔で並べるのは、電極部２３ＹＲと抵抗部４４０ＹＲの合成抵抗値を電極部２３ＹＲの長手方向における中央部側において低くし、長手方向における端部側において高くするためである。
【０１５８】
従って、実施の形態４のタッチパネルの下部電極基板４２０は、実施の形態１のタッチパネル１００の下部電極基板２０と同様に、電位分布を矯正することができる（図８（Ａ）、（Ｂ）参照）。
【０１５９】
すなわち、電極部２３ＸＬ、２３ＸＵと抵抗部４４０ＸＬ、４４０ＸＵとの長手方向における中央部側における合成抵抗値を端部側の合成抵抗値より低くして中央部側よりも端部側のＹ軸方向における電位勾配を急にすることにより、端部側で等電位線が湾曲しにくくなり、等電位線を矯正することができる。
【０１６０】
また、電極部２３ＹＬ、２３ＹＲと抵抗部４４０ＹＬ、４４０ＹＲとの長手方向における中央部側における合成抵抗値を端部側の合成抵抗値より低くして中央部側よりも端部側のＸ軸方向における電位勾配を急にすることにより、端部側で等電位線が湾曲しにくくなり、等電位線を矯正することができる。
【０１６１】
以上、実施の形態４のタッチパネルの下部電極基板４２０によれば、実施の形態１のタッチパネル１００の下部電極基板２０と同様に、Ｘ軸方向及びＹ軸方向における均等な電位分布を得ることができる。
【０１６２】
＜実施の形態５＞
図１２は、実施の形態５のタッチパネルの下部電極基板５２０の構成を示す平面図である。実施の形態５のタッチパネルは、下部電極基板５２０の構成が実施の形態１のタッチパネル１００の下部電極基板２０の構成と異なるが、下部電極基板５２０の構成以外は実施の形態１のタッチパネル１００と同様である。このため、ここでは、図１２を用いて、実施の形態５のタッチパネルの下部電極基板５２０について説明を行う。
【０１６３】
実施の形態５の下部電極基板５２０は、実施の形態１の下部電極基板２０の抵抗部４０を電極２３の矩形環の内側に配置した構成を有する。
【０１６４】
下部電極基板５２０は、透明導電膜２２上に形成される電極２３と、電極２３の矩形環の内側に形成される抵抗部５４０とを有する。
【０１６５】
電極２３は、実施の形態１の下部電極基板２０の電極２３と同様であり、電極部２３ＸＬ、２３ＸＵ、２３ＹＬ、２３ＹＲを有する。
【０１６６】
抵抗部５４０は、抵抗部５４０ＸＬ、５４０ＸＵ、５４０ＹＬ、５４０ＹＲを有する。
【０１６７】
抵抗部５４０ＸＬ、５４０ＸＵ、５４０ＹＬ、５４０ＹＲは、実施の形態１の抵抗部４０と同様に、それぞれ、１０個ずつ配設される。
【０１６８】
抵抗部５４０ＸＬ、５４０ＸＵ、５４０ＹＬ、５４０ＹＲは、例えば、Ａｇペーストを印刷することによって形成される。Ａｇペーストの抵抗値は、電極部２３ＸＬ、２３ＸＵ、２３ＹＬ、２３ＹＲを構成するＡｇ−Ｃ製の導電膜の抵抗値の約１／１０である。
【０１６９】
抵抗部５４０ＸＬ、５４０ＸＵは、例えば、それぞれ１０個ずつ配列されており、各抵抗部５４０ＸＬ、５４０ＸＵの長さは、例えば、電極部２３ＸＬ、２３ＸＵの長さの１／２０に設定されている。
【０１７０】
抵抗部５４０ＸＬ、５４０ＸＵは、それぞれ、電極部２３ＸＬ、２３ＸＵの長手方向の中央部において、電極部２３ＸＬ、２３ＸＵの近傍に密に配置され、電極部２３ＸＬ、２３ＸＵの長手方向の端部において、電極部２３ＸＬ、２３ＸＵの近傍に粗に配置される第１抵抗部の一例である。
【０１７１】
すなわち、抵抗部５４０ＸＬ、５４０ＸＵは、それぞれ、電極部２３ＸＬ、２３ＸＵの長手方向の中央部において隣同士の間隔が狭く配置され、電極部２３ＸＬ、２３ＸＵの長手方向の端部において隣同士の間隔が広く配置される。
【０１７２】
抵抗部５４０ＸＬを電極部２３ＸＬの近傍に上述のように配置することにより、電極部２３ＸＬと抵抗部５４０ＸＬの合成抵抗値は、電極部２３ＸＬの長手方向における中央部側において低くなり、長手方向における端部側において高くなる。
【０１７３】
同様に、抵抗部５４０ＸＵを透明導電膜２２の近傍に上述のように配置することにより、電極部２３ＸＵと抵抗部５４０ＸＵの合成抵抗値は、電極部２３ＸＵの長手方向における中央部側において低くなり、長手方向における端部側において高くなる。
【０１７４】
抵抗部５４０ＹＬ、５４０ＹＲは、それぞれ、電極部２３ＹＬ、２３ＹＲの長手方向の中央部において、電極部２３ＹＬ、２３ＹＲの近傍に密に配置され、電極部２３ＹＬ、２３ＹＲの長手方向の端部において、電極部２３ＹＬ、２３ＹＲの近傍に粗に配置される第２抵抗部の一例である。
【０１７５】
すなわち、抵抗部５４０ＹＬ、５４０ＹＲは、それぞれ、電極部２３ＹＬ、２３ＹＲの長手方向の中央部において隣同士の間隔が狭く配置され、電極部２３ＹＬ、２３ＹＲの長手方向の端部において隣同士の間隔が広く配置される。
【０１７６】
抵抗部５４０ＹＬを透明導電膜２２の近傍に上述のように配置することにより、電極部２３ＹＬと抵抗部５４０ＹＬの合成抵抗値は、電極部２３ＹＬの長手方向における中央部側において低くなり、長手方向における端部側において高くなる。
【０１７７】
同様に、抵抗部５４０ＹＲを透明導電膜２２の近傍に上述のように配置することにより、電極部２３ＹＲと抵抗部５４０ＹＲの合成抵抗値は、電極部２３ＹＲの長手方向における中央部側において低くなり、長手方向における端部側において高くなる。
【０１７８】
このように、抵抗部５４０ＸＬ、５４０ＸＵ、５４０ＹＬ、５４０ＹＲをそれぞれ、電極部２３ＸＬ、２３ＸＵ、２３ＹＬ、２３ＹＲの長手方向の中央部側において密に配置し、端部側において粗に配置するのは、電極部２３ＸＬ、２３ＸＵ、２３ＹＬ、２３ＹＲとの合成抵抗値を中央部側で低くし、端部側で高くすることにより、透明導電膜２２上における電位分布を矯正するためである。
【０１７９】
従って、実施の形態５のタッチパネルの下部電極基板５２０は、実施の形態１のタッチパネル１００の下部電極基板２０と同様に、電位分布を矯正することができる（図８（Ａ）、（Ｂ）参照）。
【０１８０】
すなわち、電極部２３ＸＬ、２３ＸＵと抵抗部５４０ＸＬ、５４０ＸＵとの長手方向における中央部側における合成抵抗値を端部側の合成抵抗値より低くして中央部側よりも端部側のＹ軸方向における電位勾配を急にすることにより、端部側で等電位線が湾曲しにくくなり、等電位線を矯正することができる。
【０１８１】
また、電極部２３ＹＬ、２３ＹＲと抵抗部５４０ＹＬ、５４０ＹＲとの長手方向における中央部側における合成抵抗値を端部側の合成抵抗値より低くして中央部側よりも端部側のＸ軸方向における電位勾配を急にすることにより、端部側で等電位線が湾曲しにくくなり、等電位線を矯正することができる。
【０１８２】
以上、実施の形態５のタッチパネルの下部電極基板５２０によれば、実施の形態１のタッチパネル１００の下部電極基板２０と同様に、Ｘ軸方向及びＹ軸方向における均等な電位分布を得ることができる。
【０１８３】
＜実施の形態６＞
図１３は、実施の形態６のタッチパネルの下部電極基板６２０の構成を示す平面図である。実施の形態６のタッチパネルは、下部電極基板６２０の構成が実施の形態１のタッチパネル１００の下部電極基板２０の構成と異なるが、下部電極基板６２０の構成以外は実施の形態１のタッチパネル１００と同様である。このため、ここでは、図１３を用いて、実施の形態６のタッチパネルの下部電極基板６２０について説明を行う。
【０１８４】
実施の形態６の下部電極基板６２０は、透明導電膜２２の表面上に抵抗部６４０を有する。
【０１８５】
抵抗部６４０は、平面視において、電極２３の電極部２３ＸＬ、２３ＸＵ、２３ＹＬ、２３ＹＲが構成する矩形環の外側に位置するように配列される複数の抵抗部である。抵抗部６４０は、電極部２３ＸＬ、２３ＸＵの近傍にＸ軸方向に沿って形成される抵抗部６４０ＸＬ、６４０ＸＵと、電極部２３ＹＬ、２３ＹＲの近傍にＹ軸方向に沿って形成される抵抗部６４０ＹＬ、６４０ＹＲとを含む。
【０１８６】
抵抗部６４０ＸＬ、６４０ＸＵ、６４０ＹＬ、６４０ＹＲは、実施の形態１のタッチパネル１００の抵抗部４０ＸＬ、４０ＸＵ、４０ＹＬ、４０ＹＲと同様の構成を有する。
【０１８７】
下部電極基板６２０は、図１３（Ａ）に示すように、実施の形態１の下部電極基板２０の電極部２３ＸＬ、２３ＸＵ、２３ＹＬ、２３ＹＲの上に形成される絶縁層７０の構成が異なる。
【０１８８】
絶縁層７０の上には、頂点部ＵＬ、ＵＲ、ＬＲ、ＬＬにそれぞれ接続される配線部６１、６２、６３、６４が形成される。
【０１８９】
また、抵抗部６４０ＸＬ、６４０ＸＵ、６４０ＹＬ、６４０ＹＲは、すべて、絶縁層７０に形成される孔部の中に形成される。
【０１９０】
図１３（Ｂ）に示すように、絶縁層７０には、抵抗部６４０ＸＬ、６４０ＸＵ、６４０ＹＬ、６４０ＹＲを形成するための孔部７１、７２、７３、７４と、電極部２３ＸＬ、２３ＸＵ、２３ＹＬ、２３ＹＲの頂点部ＵＬ、ＵＲ、ＬＲ、ＬＬに配線部６１、６２、６３、６４を接続するための孔部７５、７６、７７、７８とが形成される。図１３（Ｂ）に示す状態では、絶縁層７０は、電極部２３ＸＬ、２３ＸＵ、２３ＹＬ、２３ＹＲの上に（タッチパネルの表示部１００Ａを除いた部分に）形成されている。
【０１９１】
図１３（Ｃ）は図１３（Ｂ）のＡ−Ａ断面を示し、図１３（Ｄ）は図１３（Ｂ）のＢ−Ｂ断面を示す。
【０１９２】
図１３（Ｃ）に示すように、孔部７７、７８は、それぞれ、頂点部ＬＬ、ＬＲの電極部２３ＸＬの表面まで貫通している。また、図１３（Ｃ）には示さないが、孔部７５、７６は、それぞれ、頂点部ＵＬ、ＵＲの電極部２３ＸＵの表面まで貫通している。
【０１９３】
図１３（Ｄ）に示すように、孔部７１は、透明導電膜２２の表面まで貫通している。これは、孔部７２、７３、７４についても同様である。
【０１９４】
このような実施の形態６のタッチパネルの下部電極基板６２０は、配線部６１、６２、６３、６４と、抵抗部６４０ＸＬ、６４０ＸＵ、６４０ＹＬ、６４０ＹＲとを同時に（同一の製造工程で）形成することができる。
【０１９５】
配線部６１、６２、６３、６４と、抵抗部６４０ＸＬ、６４０ＸＵ、６４０ＹＬ、６４０ＹＲとは、例えば、Ａｇペーストで構成され、例えば、印刷することによって形成される。
【０１９６】
実施の形態１のタッチパネル１００の下部電極基板２０は、抵抗部４０ＸＬ、４０ＸＵ、４０ＹＬ、４０ＹＲの上に形成される絶縁層の上に形成されるため、抵抗部４０ＸＬ、４０ＸＵ、４０ＹＬ、４０ＹＲと、頂点部ＵＬ、ＵＲ、ＬＲ、ＬＬに接続される配線部（実施の形態６の配線部６１〜６４に相当する配線部）とを同時に形成することはできないが、実施の形態６によれば、配線部６１、６２、６３、６４と、抵抗部６４０ＸＬ、６４０ＸＵ、６４０ＹＬ、６４０ＹＲとを同時に形成することができる。
【０１９７】
また、実施の形態６の下部電極基板６２０の電極部２３ＸＬ、２３ＸＵ、２３ＹＬ、２３ＹＲと、抵抗部６４０ＸＬ、６４０ＸＵ、６４０ＹＬ、６４０ＹＲとは、それぞれ、実施の形態１の下部電極基板２０の電極部２３ＸＬ、２３ＸＵ、２３ＹＬ、２３ＹＲと、抵抗部４０ＸＬ、４０ＸＵ、４０ＹＬ、４０ＹＲと同様の構成を有する。
【０１９８】
このため、電極部２３ＸＬ、２３ＸＵと抵抗部６４０ＸＬ、６４０ＸＵとの長手方向における中央部側における合成抵抗値を端部側の合成抵抗値より低くして中央部側よりも端部側のＹ軸方向における電位勾配を急にすることにより、端部側で等電位線が湾曲しにくくなり、等電位線を矯正することができる。
【０１９９】
また、電極部２３ＹＬ、２３ＹＲと抵抗部６４０ＹＬ、６４０ＹＲとの長手方向における中央部側における合成抵抗値を端部側の合成抵抗値より低くして中央部側よりも端部側のＸ軸方向における電位勾配を急にすることにより、端部側で等電位線が湾曲しにくくなり、等電位線を矯正することができる。
【０２００】
以上、本発明の例示的な実施の形態のタッチパネルについて説明したが、本発明は、具体的に開示された実施の形態に限定されるものではなく、特許請求の範囲から逸脱することなく、種々の変形や変更が可能である。
【符号の説明】
【０２０１】
１００  タッチパネル
１０  上部電極基板
１１  フィルム
１２  透明導電膜
１２ａ、１２ｂ、１２ｃ、１２ｄ、１２ｅ  導電領域
２１  ガラス基板
２２  透明導電膜
２０  下部電極基板
２３  電極
２３ＸＬ、２３ＸＵ、２３ＹＬ、２３ＹＲ  電極部
４０  抵抗部
４０ＸＬ、４０ＸＵ、４０ＹＬ、４０ＹＲ  抵抗部
５０  座標検出回路
５１  駆動回路
６１、６２、６３、６４  配線部
７０  絶縁層
７１、７２、７３、７４  孔部
７５、７６、７７、７８  孔部
２２０  下部電極基板
２３０  電極
２３０ＸＬ、２３０ＸＵ、２３０ＹＬ、２３０ＹＲ  電極部
２４０  抵抗部
２４０ＸＬ、２４０ＸＵ、２４０ＹＬ、２４０ＹＲ  抵抗部
３２０  下部電極基板
３４０  抵抗部
３４０ＸＬ、３４０ＸＵ、３４０ＹＬ、３４０ＹＲ  抵抗部
４２０  下部電極基板
４４０  抵抗部
４４０ＸＬ、４４０ＸＵ、４４０ＹＬ、４４０ＹＲ  抵抗部
４４０ＸＬ１、４４０ＸＬ２、４４０ＸＬ３、４４０ＸＬ４、４４０ＸＬ５  抵抗部
４４０ＸＵ１、４４０ＸＵ２、４４０ＸＵ３、４４０ＸＵ４、４４０ＸＵ５  抵抗部
４４０ＹＬ１、４４０ＹＬ２、４４０ＹＬ３、４４０ＹＬ４、４４０ＹＬ５  抵抗部
４４０ＹＲ１、４４０ＹＲ２、４４０ＹＲ３、４４０ＹＲ４、４４０ＹＲ５  抵抗部
５２０  下部電極基板
５４０  抵抗部
５４０ＸＬ、５４０ＸＵ、５４０ＹＬ、５４０ＹＲ  抵抗部
６２０  下部電極基板
６４０ＸＬ、６４０ＸＵ、６４０ＹＬ、６４０ＹＲ  抵抗部
ＬＬ、ＬＲ、ＵＬ、ＵＲ  頂点部
【図１】
0005757800.tif 000002
【図２】
0005757800.tif 000003
【図３】
0005757800.tif 000004
【図５】
0005757800.tif 000005
【図６】
0005757800.tif 000006
【図７】
0005757800.tif 000007
【図８】
0005757800.tif 000008
【図９】
0005757800.tif 000009
【図１０】
0005757800.tif 000010
【図１１】
0005757800.tif 000011
【図１２】
0005757800.tif 000012
【図１３】
0005757800.tif 000013
【図４】
0005757800.tif 000014